(57)【要約】      （修正有）【課題】幹糸に巻癖がつかず、針が絡まないように仕掛けを簡便に保管するための釣り仕掛け収納容器を提供する。【解決手段】釣りの仕掛けの長さより長い容器と、当該容器の上端内面部分に取り付けられ、仕掛けの幹糸のスナップを引っ掛ける第一のフックと、幹糸の先端から延びるハリスの針に引っ掛かる弾性部材と、容器の下端内面部分に取り付けられ、弾性部材が引っ張られた状態で引っ掛けられる第二のフックと、容器の中底面に敷かれ、幹糸の途中から延びるハリスの針を刺すためのシート部材とを備える。【選択図】図２
0003123512.tif 000002
【実用新案登録請求の範囲】
【請求項１】
釣りの仕掛けの長さより長い容器と、
当該容器の上端内面部分に取り付けられ、仕掛けの幹糸のスナップを引っ掛ける第一のフックと、
幹糸の先端から延びるハリスの針に引っ掛かる弾性部材と、
前記容器の下端内面部分に取り付けられ、前記弾性部材が引っ張られた状態で引っ掛けられる第二のフックと、
前記容器の中底面に敷かれ、幹糸の途中から延びるハリスの針を刺すためのシート部材とを備えることを特徴とする釣り仕掛け収納容器。
【請求項２】
請求項１において、
前記容器の表側と裏側の両側に、前記第一のフック、前記弾性部材、前記第二のフック及び前記シート部材を備えることを特徴とする釣り仕掛け収納容器。
【考案の詳細な説明】
【技術分野】
【０００１】
本考案は、釣りの仕掛けを収納し、保管するための容器に関する。
【背景技術】
【０００２】
図１は、カレイ釣りの仕掛けを示す図である。仕掛けは、幹糸１と、それから分岐して取り付けられる複数のハリス２と、各ハリス２の先端にそれぞれ取り付けられる針３とにより構成される。図１に示されるように、ハリス２は、幹糸１の先端部分からも延びている。そして、ハリス２及び針３が取り付けられていない幹糸１の他端に取り付けられたスナップ４を釣り竿から延びる錘の先端に取り付け、釣り竿を操作して仕掛けを海に投げ込むことで、仕掛けは海中に沈められる。
【０００３】
釣り人は、通常、釣り竿から取りはずして、釣り仕掛けは保管し、また持ち運び、釣り場に着いてから、仕掛けを釣り竿に取り付ける。この仕掛けは、数十センチメートル程度の長さを有することから、このような仕掛けをコンパクトに保管するために、仕掛けを巻いた状態で保管するのが通常である。また、図１に示すような仕掛けは、釣具店のような店舗でも巻かれた状態で販売されている。従って、釣り竿に取り付ける際は、巻かれた状態の仕掛けをほどく必要がある。
【考案の開示】
【考案が解決しようとする課題】
【０００４】
しかしながら、巻かれた状態の仕掛けをほどいて使用する場合、幹糸１に巻癖がついてしまっているため、幹糸１がまっすぐに伸びない。この状態で、仕掛けを海中に沈めても、幹糸１から分岐するハリス２が幹糸１に絡まり、また、針同士が絡まるおそれが高いため、仕掛けとして十分に機能しない場合がある。
【０００５】
そこで本考案は、幹糸に巻癖がつかず、針が絡まないように仕掛けを簡便に保管するための釣り仕掛け収納容器を提供することにある。
【課題を解決するための手段】
【０００６】
上記目的を達成するための本発明の釣り仕掛け収納容器は、釣りの仕掛けの長さより長い容器と、当該容器の上端内面部分に取り付けられ、仕掛けの幹糸のスナップを引っ掛ける第一のフックと、幹糸の先端から延びるハリスの針に引っ掛かる弾性部材と、
前記容器の下端内面部分に取り付けられ、前記弾性部材が引っ張られた状態で引っ掛けられる第二のフックと、前記容器の中底面に敷かれ、幹糸の途中から延びるハリスの針を刺すためのシート部材とを備えることを特徴とする。
【０００７】
好ましくは、前記容器の表側と裏側の両側に、前記第一のフック、前記弾性部材、前記第二のフック及び前記シート部材を備えることを特徴とする。
【考案の効果】
【０００８】
本考案によれば、フックと弾性部材を用いた簡単な機構により、仕掛けの幹糸をまっすぐに張った状態で保管できる。また、幹糸の途中から分岐するハリスの針をシート部材に刺しておくことで、針がぶらつかないように止められるので、針が指に刺さるなどのけがを防止できるとともに、針が幹糸に絡まることなく収納できる。
【考案を実施するための最良の形態】
【０００９】
以下、図面を参照して本考案の実施の形態について説明する。しかしながら、かかる実施の形態例が、本考案の技術的範囲を限定するものではない。
【００１０】
図２は、本考案の実施の形態における釣り仕掛け収納容器を示す図である。本考案の釣り仕掛け収納容器は、仕掛けよりも長い長さを有する箱１０であって、箱１０の内部において、長さ方向の上端（図面では右側端部）の内面に複数のフック（ヨート）１１Ａが取り付け、さらに、その取り付け位置に対向する長さ方向の下端（図面では左側端部）の内面の位置にも、同様に、複数のフック（ヨート）１１Ｂが取り付けられる。そして、中底面には、例えば発泡スチロール１２のように、針３を容易に刺すことができ、そこに針３を止めることができる材質を有する所定の厚みのシート部材が敷かれる。
【００１１】
仕掛けは、次のようにして収納される。すなわち、仕掛けの一端側のスナップ４を上端（図面右端）側のフック１１Ａに引っ掛ける。そして、仕掛けの最先端の針（一段目のハリス２に取り付けられる針）３には、例えば、輪ゴム１３のような弾性部材を掛けて、その輪ゴム１３を引き延ばして下端（図面左端）のフック１１Ｂに引っ掛ける。これにより、最先端の針３とそのハリス２及び幹糸１は、輪ゴムの引っ張り力により引っ張られた状態で、まっすぐに伸びたまま収納される。これにより、幹糸に巻癖をつけることなく、仕掛けを保管することができる。仕掛けの長さにより、輪ゴムの大きさを調整することにより、一定範囲で異なる長さの仕掛けも保管することができる。
【００１２】
また、幹糸１から分岐する２段目以降のハリス２の針３は、任意の位置で発泡スチロール１２に刺し込むことで、２段目以降のハリス２及びその針３を箱１０に対して固定することができ、保管時に、ハリス２が幹糸１に絡まることもない。中底面に発泡スチロール１２を敷き詰めることで、幹糸１の途中から分岐するハリス２の針３の位置に関係なく、２段目以降のハリス２の針３を固定することができる。
【００１３】
図２では、一例として、３対のフックが取り付けられるが、箱１０の幅に応じて、任意の数のフックが取り付けられる。また、１対のフックに、複数の仕掛けを重ねて引っ掛けることで、フックの数よりも多くの仕掛けを保管することができる。さらに、輪ゴムの大きさを調節することで、一対のフックに異なる長さの複数の仕掛けを引っ掛けることもできる。
【００１４】
さらに、図３に示すように、箱１０の裏側についても、上端（図面右端）内面と下端（図面左端）内面にフック１１Ａ、１１Ｂを取り付け、中底面に発泡スチロール１２を敷き詰めることで、上述したような仕掛けをまっすぐに張った状態で収納する機構を、箱１０の裏側にも設けることができる。このように、箱１０の表側と裏側の両方を用いることで、より多くの仕掛けを保管することができる。
【００１５】
箱１０は、例えば、板状の木材を加工することで形成され、ウレタン塗装することで防水加工される。もちろん、プラスチックや金属などで形成されてもよい。また、箱１０の内部を保護するために、好ましくは、筒状のプラスチックケースに箱１０を収める。または、箱１０に蓋が設けられてもよい。
【００１６】
また、仕掛けの針３を引っ張る弾性部材は、輪ゴム１３に限らず、例えば、コイルバネのような弾性部材であってもよい。中底面に貼り付けられるシート部材は、発泡スチロール１２に限らず、例えば、スポンジやキルト生地のような材質であってもよい。
【図面の簡単な説明】
【００１７】
【図１】カレイ釣りの仕掛けを示す図である。
【図２】本考案の実施の形態における釣り仕掛け収納容器を示す図である。
【図３】容器の両面に収納機構を有する釣り仕掛け収納容器の断面図である。
【符号の説明】
【００１８】
１：幹糸、２：ハリス、３：針、４：スナップ、１０：箱、１１：フック（ヨート）、１２：発泡スチロール、１３：輪ゴム
【図１】
0003123512.tif 000003
【図２】
0003123512.tif 000004
【図３】
0003123512.tif 000005